(57)【特許請求の範囲】
【請求項１】
頭部に対して首部を解除可能に連結する連結構造であって、
頭部は、少なくとも一箇所の開口を設けるとともに、首部連結孔を備えた中空状に形成され、
少なくとも、前記頭部の首部連結孔に挿入可能な係止部と、
前記係止部を上下移動かつ左右回転可能に上端に備える首部本体と、
係止部を常時首部本体方向に引き寄せて、該係止部を上下方向に伸縮可能な弾性部材とで構成された首部と、
前記頭部内に配され、該頭部の首部連結孔の内周縁に当接可能な当接面と、
頭部内にて、前記首部連結孔を介して挿入された前記係止部を挿通可能な挿通孔部と、
前記弾性部材の弾性に抗して上方に引き上げるとともに、所定方向に回転させた前記係止部を、前記挿通孔部からずらした位置で係止する受け部とで構成された被係止部材からなることを特徴とする人形の首部連結構造。
【請求項２】
首部は、内部に連通孔を備えて中空筒状に形成し、連通孔内の所定位置に面部を設けた首部本体と、
該首部本体内の連通孔に挿入可能で、所定位置に軸面部を設けた軸部と、
該軸部の先端で、左右に係止面を備えて一体に突設される正面視略台形状の係止部と、
コイルスプリングからなる弾性部材とで構成され、
コイルスプリングは、前記首部本体の連通孔内にて軸部外周に巻回され、該首部本体の連通孔内の面部と、前記軸部の軸面部との間に挟持されて伸縮可能に備えられることを特徴とする請求項１に記載の人形の首部連結構造。
【発明の詳細な説明】
【技術分野】
【０００１】
本発明は、人形の首部連結構造に関する。
なお、本明細書において、人形とは、胴体と脚部と腕部と頭部を備えた人形全般に限らず、脚部や腕部を備えていない、例えば人魚のような人形も含む概念とする。
また、いわゆる人形用素体といわれるものであって頭部が接続可能なものをも含む。
また、手足、腰などの所要箇所が可動可能に構成されている、いわゆる可動人形や、手足、腰等が動かない人形の全ても対象とされる。
前記可動人形には、所要可動箇所に別途関節部を設けているものや、関節部を設けず一体に成形されているものなど公知のもの全てが対象とされる。
また、人形を構成する材質にあっては、硬質であっても軟質であっても良く、本発明の範囲内で設計変更可能である。
【背景技術】
【０００２】
昨今の人形業界において、特にフィギュアと称される人間の身体（裸体）形態を忠実に模写した構成を有する人形が需要者に人気を得ている。
このフィギュアなる人形は、一般に女児等が手に持って遊んだり、単に着せ替えをして遊んだりすることもあるが、昨今フィギュア需要者層も変化し、特に男性女性を問わず成人の需要者も多くなってきている。このような成人の需要者層では、夫々の需要者の趣味に応じて人形を改造するものが多い。特に、人形の頭部は、顔表情や髪型も多種多様で、その顔表情や髪型を変えたいと欲する需要者も多い。
【０００３】
そこで本発明者は、このような需要者ニーズに応えるべく、特許文献１に開示の如く、頭部が着脱できる首部の連結構造を先に提供している。
特許文献１に開示の首部の連結構造は、人形の胴体を構成する胴部外皮に一体に形成されている首部外皮に嵌め込んで装着される円筒状の首部外皮装着部（首部本体）と、該首部本体の上端にて、弾性部材を介して上下方向に揺動（伸縮）自在に備えられ、人形の頭部外皮に設けられている円形状の連結孔と比して大径の下端円形面を有する略円すい状の頭部外皮嵌着部（係止部）とで構成されている。そして、前記弾性部材は、係止部を常時首部本体の上端方向に引張り作用するコイルスプリングを一例として挙げている。
すなわち、前記頭部外皮の連結孔を押し広げて前記係止部を嵌め入れると、下端円形面が連結孔の内周縁に当接するとともに、弾性部材によって係止部が首部本体の上端方向に頭部を引き寄せ、前記下端円形面と首部本体の上端面とで前記連結孔内外周縁を挟持して首部を頭部（頭部外皮）に連結している。また、この連結孔への係止部の係止状態を解除して頭部と首部の連結を解くものとしている。
従って、需要者は、顔表情の異なる頭部を好みに応じてその都度付け替えることで、需要者の好みに応じた人形に改造していた。
【０００４】
しかし、特許文献１に開示の連結構造の場合、頭部外皮の円形状の連結孔よりも大径の下端円形面を有する略円すい状の係止部を、前記下端円形面で連結孔を押し広げて嵌着または抜き外すものであったため、その連結・解除作業に労力を要していた。
また、近年本発明者は、特許文献２に開示のように、頭部の一部に開口を設けるとともに、前記開口に着脱可能に嵌着される蓋部を設ける頭部構造を提供している。
そこで、本発明者は、この頭部に設けられている開口を利用して着脱操作の容易な首部の連結構造を提供し得ないかと研究・開発を重ね、本発明完成に至った。
【特許文献１】特開２００４−２２２９３５号公報（特に図９参照）
【特許文献２】特願２００４−３２７５０７
【発明の開示】
【発明が解決しようとする課題】
【０００５】
本発明は、このような問題を解決するためになされており、その目的とするところは、着脱操作が極めて容易な人形の頭部に対する首部の連結構造を提供することである。
【課題を解決するための手段】
【０００６】
上記目的を達成するために第１の発明がなした技術的手段は、頭部に対して首部を解除可能に連結する連結構造であって、頭部は、少なくとも一箇所の開口を設けるとともに、首部連結孔を備えた中空状に形成され、少なくとも、前記頭部の首部連結孔に挿入可能な係止部と、前記係止部を上下移動かつ左右回転可能に上端に備える首部本体と、係止部を常時首部本体方向に引き寄せて、該係止部を上下方向に伸縮可能な弾性部材とで構成された首部と、前記頭部内に配され、該頭部の首部連結孔内周縁に当接可能な当接面と、頭部内にて、前記首部連結孔を介して挿入された前記係止部を挿通可能な挿通孔部と、前記弾性部材の弾性に抗して上方に引き上げるとともに、所定方向に回転させた前記係止部を、前記挿通孔部からずらした位置で係止する受け部とで構成された被係止部材からなることを特徴とする人形の首部連結構造としたことである。
【０００７】
第２の発明は、第１の発明において、首部は、内部に連通孔を備えて中空筒状に形成し、連通孔内の所定位置に面部を設けた首部本体と、該首部本体内の連通孔に挿入可能で、所定位置に軸面部を設けた軸部と、該軸部の先端で、左右に係止面を備えて一体に突設される正面視略台形状の係止部と、コイルスプリングからなる弾性部材とで構成され、コイルスプリングは、前記首部本体の連通孔内にて軸部外周に巻回され、該首部本体の連通孔内の面部と、前記軸部の軸面部との間に挟持されて伸縮可能に備えられることを特徴とする人形の首部連結構造としたことである。
【発明の効果】
【０００８】
本発明によれば、頭部の開口を利用して、着脱操作が極めて容易な人形の頭部に対する首部の連結構造が提供し得る。
【発明を実施するための最良の形態】
【０００９】
以下、本発明を実施するための最良の一実施形態について説明する。なお、本実施形態は、本発明の一実施形態にすぎず、本発明の範囲内で設計変更可能である。
なお、図示する本実施形態では、フィギュアと称される人間を模写した人形用の頭部を一実施形態として挙げるが、本発明は何等これに限定解釈されるものではなく、熊や鳥などの動物を模写した人形の頭部、漫画キャラクタなどを立体化した人形の頭部など、一般に人形と称されるものの頭部の全てを対象とする。また、いわゆるソフトビニル樹脂製の人形の首部骨格を本実施形態では首部として説明するが、人形全体が硬質材からなるものにあっては、該人形の首部そのものが首部として称される。
【実施例１】
【００１０】
図１及び図２にて符号１は、本実施例における人形用の頭部の概略断面を示し、例えば首部５よりも下方の図示しない胴体部，腕部，脚部に骨格を備えたソフトビニル製人形の軟質製の頭部として用いられる。
【００１１】
頭部１は、本実施例では、例えば軟質合成樹脂材（ソフトビニル樹脂）をもって、例えば回転成形，スラッシュ成形などで人間の頭部を模写した外観形態を有するとともに内部中空に形成されている。
また、頭部１の少なくとも一箇所に所定領域にわたる開口２を設けるとともに、該開口２に着脱可能に嵌め込まれ、頭部１の全体外観を構成する蓋部３を備えている。なお、この蓋部３の外面には所定の植毛を施すこともある。さらに、蓋部３以外の頭部所定領域にも植毛を施すこともある。
また、図中符号４は、当該頭部１と首部５を連結する際の首部連結孔である。
【００１２】
首部連結孔４は、頭部１の首部連結部位の所定領域に、頭部１の内外面に貫通して設けられている矩形状の長孔で、後述する係止部１７が容易に挿通可能な形状に開けられている。この首部連結孔４は、後述する係止部１７が容易に挿通可能な孔形状に形成されているものであればよく、特に図示形状に限定解釈されない。
なお、頭部１に形成される顔表情や図示しない耳形状、眼球部分等にあっては任意であって限定はされない。
【００１３】
首部５は、図１乃至図４に示すように、首部本体６と、該首部本体６内の連通孔に挿入可能な軸部１４と、該軸部１４の先端１４ｂに備えられて首部本体６の上端に備えられる係止部１７と、該係止部１７を常時首部本体６方向に引き寄せ作用する弾性部材１９とで構成されている。
【００１４】
首部本体６は、例えば本実施例では硬質合成樹脂材で、上下端６ａ，６ｂを開口７，８するとともに、該夫々の開口７，８と連通する連通孔９を内部に備えた所定長さの中空円筒状に形成されている。本実施例では、首部本体６の上端部を次のように構成している。すなわち、上端６ａ外周にて、水平方向に突出するとともに円周方向に連続する鍔面１０を設けるとともに、該鍔面１０から上端６ａの開口７に向けて湾曲する昇り傾斜状のテーパ１１をもって構成している。前記鍔面１０は、図示しないソフトビニル樹脂製の胴体部から一体に延設される円筒状の首部外皮内に当該首部本体６を嵌め込んだ際、その鍔面１０に首部外皮の端縁が当接する。
【００１５】
前記連通孔９は、本実施例では、該首部本体６内の所定位置で軸方向（孔方向）と直交する方向に設けた面部１２を架け渡し、該面部１２を境にして下端６ｂとの間の連通孔を第一連通孔９ａ、上端６ａとの間の連通孔を第二連通孔９ｂとしている。
また、面部１２には、第一連通孔９ａと第二連通孔９ｂを連通させる孔部１２ａが設けられている。従って、本実施例では、第一連通孔９ａと第二連通孔９ｂとで一連の連通孔９が構成されている。
また、本実施例では、第一連通孔９ａの径をＤ１、第二連通孔９ｂの径をＤ２としたときに、Ｄ１＞Ｄ２の関係としている。また、孔部１２ａの径をＤ３としたときにＤ２＞Ｄ３の関係にあるものとしている。なお、このＤ１〜Ｄ３の孔径及び孔径の大小関係は特に限定されないが、少なくとも夫々の孔径は軸部１４の径よりも大径とする。
【００１６】
また、図中１３は、首部本体６の外周所定領域に複数本設けられている脱落防止部で、本実施例では、円周方向に連続した突条を、本体６の軸方向に所定間隔をあけて複数突設されている。この脱落防止部１３は、図示しないソフトビニル樹脂製の胴体部から一体に延設される円筒状の首部外皮内に、首部本体６を嵌め込んだ際の脱落防止を図るための構造である。よって、本実施例の構造になんら限定されるものではなく、首部５の脱落を防止し得る構造であれば本発明の範囲内である。なお、この脱落防止部１３を備えない形態も本発明の範囲内である。
【００１７】
なお、本実施例では、首部本体６を円筒状に形成しているが、特に限定されず、角筒状など本発明の範囲内で設計変更可能である。
【００１８】
軸部１４は、前記首部本体６内の第一連通孔９ａ、面部１２の孔部１２ａ及び第二連通孔９ｂに挿通可能な軸径を有する所定長さの円柱状に形成されており、その首部本体６の上端から突出させた先端に、後述する係止部１７を一体に備えている。
【００１９】
また、本実施例では、前記軸部１４の後端１４ａの外周所定位置にて、該軸部１４の軸方向と直交する方向に設けた軸面部１５を備えている。
軸面部１５は、本実施例では、前記連通孔（第一連通孔９ａ）内を摺動可能な外径を有し、かつ円中心に貫通孔１５ａを設けた円環状に形成されており、前記貫通孔１５ａに軸部１４を挿通して配設することにより、軸部１４外周を軸方向かつ周方向に摺動可能に備えるものとしている。
そして、本実施例では、軸部１４外周に後述する弾性部材１９を配設するとともに、該弾性部材１９の下端側に前記軸面部１５を配し、そしてフランジ付きのネジ１６で下方から軸部１４の後端１４ａにネジ止めしている。
【００２０】
このフランジ付きのネジ１６は、該フランジ１６ａの径が軸面部１５の貫通孔１５ａの径よりも大径に形成し、該フランジ１６ａによって軸面部１５を脱落しないように支持している。なお、フランジ１６ａはネジ部分と別体であってもよい。また、軸面部１５の貫通孔１５ａ内周に雌ネジを設け、軸部の後端外周に雄ネジを設けることで、両者を螺合させて軸部の後端外周に軸面部を一体に固定する構成を採用することも本発明の範囲内である。
【００２１】
また、軸部１４の全体長さは特に限定されないが、本実施例では、後述する弾性部材１９をまったく負荷の掛かっていない状態で面部１２と軸面部１５との間に配設したときに、先端１４ｂが首部本体６の上端６ａから外方に突出する程度の長さを有するものとしている。また軸部１４の径は、本実施例では先端１４ｂから後端１４ａにかけて同一径としている。これら軸部１４の長さ及び軸径は、特に限定されず本発明の範囲内で設計変更可能である。また軸部１４の形状も本実施例に限定されず任意に設計変更可能である。
【００２２】
係止部１７は、前記軸部１４の先端１４ｂに一体に備えられ、該軸部１４の先端１４ｂから水平方向に突出する左右の係止面１８，１８を備えた正面視略台形状に形成されている。
本実施例では、前記係止面１８，１８からなる係止部下面１７ａの長さが係止部上面１７ｂの長さに比して長く形成されている台形状に選択されている。
なお、係止部１７の全体形状は特に限定されるものではなく、少なくとも後述する被係止部材２０の受け部２３に係止可能な係止面１８，１８を備えていれば他の形状に設計変更可能である。たとえば、正面視形状が、係止部上面１７ｂの長さが係止部下面１７ａの長さに比して長く形成されている台形状や、前記両面１７ａ，１７ｂの長さを同一とする矩形状などであってもよく、また、円柱状，角柱状などの形状も選択可能である。好ましくは、需要者が指や治具を介して摘んで引き上げやすい形状を選択すると良い。
【００２３】
また、係止部１７は、少なくとも、前記頭部１の首部連結孔４及び被係止部材２０の挿通孔部２２に挿入可能な大きさとし、具体的には、図１乃至図４に示すように、左右の係止面１８，１８の突出方向長さＬ１，Ｌ２を足した係止部下面１７ａの全体長さＬは、前記頭部１の首部連結孔４及び被係止部材２０の挿通孔部２２の長手方向長さＬ３，Ｌ４よりも僅かに短く形成するとともに、係止部下面１７ａの短手方向長さＬ５は、前記頭部１の首部連結孔４及び被係止部材２０の挿通孔部２２の端手方向長さＬ６よりも僅かに短く形成されている。従って、本実施例では、首部本体６に対して上下移動かつ回転可能に備えた軸部１４の上方に係止部１７が一体に備えられているため、係止部１７は首部本体６の上端にて上下移動かつ左右回転可能に備えられていることとなる。
【００２４】
弾性部材１９は、例えば、前記首部本体６の連通孔９（第一連通孔９ａ）内にて軸部１４の外周に巻回され、前記面部１２と軸面部１５との間に挟持されて伸縮可能に備えられるコイルスプリングが一例として挙げられる。なお、弾性部材１９は、係止部１７を常時首部本体６方向に引き寄せ作用可能なものであれば本実施例のようにコイルスプリングでなくともよい。例えばゴム紐などが一例として挙げられる。
【００２５】
被係止部材２０は、本実施例では、全体円盤状に形成されており、前記頭部１内に配された際に、該頭部１の首部連結孔４の内周縁に当接可能な当接面２１を裏面に設けている。そして、略中央位置には、前記頭部１の首部連結孔４を介して挿入された前記係止部１７を挿通可能な挿通孔部２２が設けられている。
この挿通孔部２２は、前記頭部１の首部連結孔４と略同一形状の矩形状長孔に形成されている。
そして、表面には、前記挿通孔部２２に対して直交するように受け部２３が設けられている。
【００２６】
受け部２３は、少なくとも係止部１７の係止面１８を受けることが可能な幅を有し、本実施例では、立上げ壁２３ａ間で凹溝状の所定領域の受け部を形成するものとしている。
すなわち、受け部２３の受け面２３ｂに係止部１７の係止面１８を当接すると、係止部１７を挟み込むように立ち上がっている立上げ壁２３ａによって係止部１７の回転作動が抑止される。従って、この立上げ壁２３ａ構造と、弾性部材１９による係止部１７の下方への引き寄せ作動により、係止部１７の不意な解除がなされてしまうこともない。
【００２７】
また、本実施例によれば、前記立上げ壁２３ａは、受け面２３ｂ側の立上げ面２３ｃを受け面２３ｂに対して垂直に設け、該立上げ面２３ｃの上端から緩やかな曲面をもってガイド面２３ｄが設けられている。このガイド面２３ｄは、弾性部材１９の弾性に抗して上方へと引き上げた係止部１７を回転させたときに、係止部１７の係止面１８をガイド面２３ｄの曲面にそってスライドさせて受け部２３の受け面２３ｂへと案内させる。
なお、本実施例では、挿通孔部２２に対して直交するように受け部２３を設けているが、これに限定されるものではなく、挿通孔部２２からずれた位置で係止部１７の係止面１８を受けることができる構成を採用すれば本発明の範囲内である。また、本実施例では、挿通孔部２２よりも上方、すなわち、被係止部材２０の表面に受け部２３を設ける実施の一例について説明するが、該被係止部材２０の表面に凹設して設ける構成であってもよい。
【００２８】
ここで、本実施例の首部連結構造による頭部１への首部５の連結作動と連結解除作動について図１及び図２に基づいて説明する。
【００２９】
まず、頭部１と首部５とを連結する作動について説明する。
頭部１の蓋部３を外して、被係止部材２０を頭部１内の首部連結孔４上に配して、挿通孔部２２を前記首部連結孔４と連通させる（本実施例では単に置くだけである）。
次に、係止部１７を、頭部１の下方から、該頭部１の首部連結孔４に挿入させるとともに、前記被係止部材２０の挿通孔部２２に挿通させる。
そして次に、需要者の指で直接若しくは治具を介して係止部１７を摘むとともに、弾性部材１９の弾性に抗して係止部１７を上方に引き上げる。
その後、係止部１７を引き上げ状態から左右いずれかの方向に９０度回転させて挿通孔部２２と直交させ、そして係止部１７をその直下に位置する被係止部材２０の受け部２３に当接させる。
これにより、係止部１７は、受け部２３にある立上げ壁２３ａ構造と、弾性部材１９による係止部１７の下方への引き寄せ作動により係止される。よって、首部５は頭部１に対して一体に連結される。
なお、上述の作動一例では、最初に頭部１内に被係止部材２０を配するものとしているが、係止部１７を頭部１の首部連結孔４に挿入した後に、該首部連結孔４から頭部１内に突出する係止部１７に、被係止部材２０の挿通孔部２２を合わせて挿入する工程を採用することも可能である。
【００３０】
次に、頭部１と首部５の連結を解除させる作動について説明する。
まず、頭部１の蓋部３を外し、頭部１内に突出している係止部１７を需要者の指若しくは治具にて摘み上げ、弾性部材１９の弾性に抗して上方に持ち上げる。
そして、受け部２３から係止部１７が外れた後に、該係止部１７を受け部２３位置から左右いずれかの方向に９０度回転させ、該係止部１７を挿通孔部２２に合わせる。
そして、係止部１７の引き上げ作用を解くことにより、係止部１７は弾性部材１９により首部本体６上端方向へと引き寄せられて、頭部１内から抜き外される。
「変形例」
【００３１】
頭部１の開口２は、上述した本実施例では図示せる箇所に所定領域をもって設けているが、開口２は、さらに後頭部方向に広がった領域に設けたり、また後頭部の所定領域にのみ設けたりする構成も採用可能である。
すなわち、少なくとも、植毛によって開口２と蓋部３との境界が隠蔽可能な領域に設けられるものであれば特に限定されず設計変更可能である。
また、本実施例では、特に図示して説明しないが、頭部１の首部連結孔４の内周縁に、被係止部材２０を安定して配設し得るように平坦面を設けるものとしてもよく、また被係止部材２０を保持可能に凹部を設ける構成とすることも可能である。
さらに、被係止部材を頭部内に一体に固定してある構成であってもよい。
または、被係止部材を別体として配さずに、頭部１の首部連結孔４と直交する方向の内面位置に直接受け部を設ける構成も採用可能である。
【図面の簡単な説明】
【００３２】
【図１】本発明首部の連結構造の一使用形態を示す概略断面図で、首部を頭部に連結した状態を示す。
【図２】図１の状態から首部を抜き外した状態を示す概略断面図。
【図３】（ａ）は、首部連結構造の概略断面図で、首部の係止部が被係止部材の受け部に係止されている状態を示し、（ｂ）はその平面図を示す。
【図４】（ａ）は、弾性部材の弾性に抗して、図３の状態から首部の係止部を上方に引き上げて係止部の受け部に対する係止状態を解除している状態を示し、（ｂ）はその平面図を示す。
【符号の説明】
【００３３】
１  頭部
２  開口
４  首部連結孔
５  首部
６  首部本体
１７  係止部
１９  弾性部材
２０  被係止部材
２１  当接面
２２  挿通孔部
２３  受け部
【図１】
0004428660.tif 000002
【図２】
0004428660.tif 000003
【図３】
0004428660.tif 000004
【図４】
0004428660.tif 000005